(57)【要約】  【課題】放送局がプリセットされるプリセット用スイッチとは別のスイッチの操作によって、プリセット用スイッチを順次切り換えて選択する際の操作の利便性を向上する。  【解決手段】オーディオ装置に所定の数だけ設けられており、ユーザが受信を希望する放送局をプリセットすることができるメモリボタンを、選局ボタンの操作によって順次切り換えて選択することにより、プリセットされている放送局の放送を受信するシステムにおいて、放送局がプリセットされていないメモリボタンはスキップして、放送局がプリセットされているメモリボタンのみを選択する。  【選択図】図３
2006157096.tif 000002
【特許請求の範囲】
【請求項１】
オーディオ装置に所定の数だけ設けられており、ユーザが受信を希望する放送局をプリセットすることができるプリセット用スイッチを、選択項目を“順送り”に、または、“順送り・逆送り”に１つずつ選択することができる第１のスイッチの操作に基づいて順次切り換えて選択することにより、プリセットされている放送局の放送を受信するオーディオ制御装置において、
前記第１のスイッチの操作に基づいて、前記プリセット用スイッチを順次切り換えて選択する際に、放送局がプリセットされているプリセット用スイッチのみを選択する制御手段を備えることを特徴とするオーディオ制御装置。
【請求項２】
請求項１に記載のオーディオ制御装置において、
ユーザの操作に基づいて、前記プリセット用スイッチにプリセットされている放送局を消去する消去手段を備えることを特徴とするオーディオ制御装置。
【請求項３】
請求項２に記載のオーディオ制御装置において、
ユーザがプリセット用スイッチにプリセットされている放送局を消去する手順は、前記プリセット用スイッチに放送局をプリセットする手順と同じであることを特徴とするオーディオ制御装置。
【請求項４】
請求項１〜３のいずれかに記載のオーディオ制御装置において、
前記制御手段は、前記第１のスイッチの操作に基づいて、前記プリセット用スイッチを順次選択する際に、同一の放送バンドのプリセット用スイッチだけでなく、異なる放送バンドのプリセット用スイッチも選択することを特徴とするオーディオ制御装置。
【請求項５】
請求項４に記載のオーディオ制御装置において、
前記放送バンドには、ＡＭ放送、ＦＭ放送、衛星ラジオ放送のうちの少なくとも１つが含まれることを特徴とするオーディオ制御装置。
【請求項６】
請求項１〜５のいずれかに記載のオーディオ制御装置において、
前記制御手段は、前記第１のスイッチとは異なる第２のスイッチが操作されると、無線放送を受信するモードと、記録媒体に記録されているデータを再生するモードとを切り換えることを特徴とするオーディオ制御装置。
【請求項７】
請求項１〜６のいずれかに記載のオーディオ制御装置において、
前記制御手段は、プリセット用スイッチにプリセットされている放送局を消去する方法をディスプレイに表示させることを特徴とするオーディオ制御装置。
【請求項８】
請求項１〜７のいずれかに記載のオーディオ制御装置は、車載のオーディオ制御装置であることを特徴とするオーディオ制御装置。
【請求項９】
請求項８に記載のオーディオ制御装置は、
第１のスイッチは、車両のステアリングホイール上に設けられていることを特徴とするオーディオ制御装置。
【請求項１０】
オーディオ装置に所定の数だけ設けられており、ユーザが受信を希望する放送局をプリセットすることができるプリセット用スイッチを、選択項目を“順送り”に、または、“順送り・逆送り”に１つずつ選択することができる第１のスイッチの操作に基づいて順次切り換えて選択することにより、プリセットされている放送局の放送を受信するオーディオ制御方法において、
前記第１のスイッチの操作に基づいて、前記プリセット用スイッチを順次切り換えて選択する際に、放送局がプリセットされているプリセット用スイッチのみを選択することを特徴とするオーディオ制御方法。
【発明の詳細な説明】
【技術分野】
【０００１】
本発明は、オーディオ装置に所定の数だけ設けられている放送局プリセット用スイッチを、放送局プリセット用スイッチとは異なるスイッチの操作に基づいて、順次切り換えて選択するオーディオ制御装置に関する。
【背景技術】
【０００２】
車載オーディオ装置の操作キーの数を少なくすることにより、操作をし易くした車載オーディオ装置が知られている（特許文献１参照）。この車載オーディオ装置では、「↑」および「↓」の方向キーを操作することによって、ラジオ放送の放送局が予めプリセットされているプリセットメモリを選択する例が記載されている。
【０００３】
【特許文献１】特開平１１−２５０６４０号公報
【発明の開示】
【発明が解決しようとする課題】
【０００４】
しかしながら、「↑」や「↓」の方向キーの操作によって、プリセットメモリを順に選択する場合、放送局がプリセットされていないプリセットメモリも選択されてしまうため、所望の放送局を受信するまでに時間がかかるという問題があった。
【課題を解決するための手段】
【０００５】
本発明によるオーディオ制御装置およびオーディオ制御方法は、ユーザが受信を希望する放送局をプリセットするプリセット用スイッチを、選択項目を“順送り”に、または、“順送り・逆送り”に１つずつ選択することができる第１のスイッチの操作に基づいて順次切り換えて選択することにより、プリセットされている放送局の放送を受信するものであって、第１のスイッチの操作に基づいてプリセット用スイッチを順次切り換える際に、放送局がプリセットされているプリセット用スイッチのみを選択することを特徴とする。
【発明の効果】
【０００６】
本発明によるオーディオ制御装置およびオーディオ制御方法によれば、第１のスイッチの操作によってプリセット用スイッチを選択する際に、放送局がプリセットされているプリセット用スイッチのみを選択するので、プリセットされている放送局の放送を迅速に受信することができる。
【発明を実施するための最良の形態】
【０００７】
以下では、ステアリングホイール上に設けられたスイッチの操作に基づいて、車載オーディオ装置の各種制御を行う例について説明する。図１は、一実施の形態におけるオーディオ制御装置の構成を示すブロック図である。車載オーディオ装置１００のコントローラ１０は、ユーザによるステアリングホイールスイッチの操作に基づいて、車載オーディオ装置１００の各種制御を行う。ステアリングホイールスイッチは、モードボタン１、電源ボタン２、選局ボタン３、および、音量調節ボタン４から構成されている。
【０００８】
図２は、ステアリングホイールスイッチの外観構成図である。ステアリングホイールスイッチは、ステアリングホイール５０上に設けられている。ユーザは、これらのボタン１〜４を、例えば、左手の親指で操作することができる。
【０００９】
モードボタン１は、車載オーディオ装置のオーディオモードを切り換えるためのボタンである。ラジオ放送を受信している時に、ユーザがモードボタン１を押すと、ＣＤを再生するモードに切り替わり、ＣＤを再生するモードが選択されている時に、モードボタン１が押されると、ラジオ放送を受信するモードに切り替わる。
【００１０】
電源ボタン２は、車載オーディオ装置の電源をオン／オフするためのボタンである。音量調節ボタン３は、音量を調節するためのボタンであり、上方向に操作すると音量がアップし、下方向に操作すると音量がダウンする。選局ボタン４は、後述する車載オーディオ装置１００のメモリボタンを選択するためのボタンである。
【００１１】
図３は、車載オーディオ装置１００の外観構成の一例を示す図である。電源ボタン１１は、車載オーディオ装置１００の電源をオン／オフするためのボタンである。ＤＩＳＣボタン１２は、ＣＤを再生するＣＤモードに切り換えるためのボタンである。ＦＭボタン１３は、ＦＭ放送を受信するためのボタンであり、ＡＭボタン１４は、ＡＭ放送を受信するためのボタンである。選局ボタン１５は、放送局を選局するためのボタンである。選局ボタン１５を上方向に操作すると、周波数が大きくなり、下方向に操作すると、周波数が小さくなる。音量調節ボタン１６は、音量を調節するためのボタンである。ディスプレイ１７には、現在受信している放送局の周波数等が表示される。
【００１２】
メモリボタン２１〜２６は、ユーザが受信を希望する放送局をプリセットするためのボタンである。図３に示すように、各メモリボタン２１〜２６は、１から６までの番号が付されている。ユーザは、選局ボタン１５を操作することによって、希望する放送局を選択し、選択した放送局の放送を受信している状態で、プリセットしたいメモリボタンを所定時間（例えば、２秒）以上押し続けると、受信している放送局をプリセットすることができる。例えば、100.2（ＭＨｚ）のＦＭ放送を受信している時に、メモリボタン２１を所定時間以上押し続けると、100.2（ＭＨｚ）の放送局がメモリボタン２１にプリセットされる。一度プリセットした放送局の放送は、選局ボタン１５を操作することなく、プリセットしたメモリボタンを押すだけで、受信することができる。
【００１３】
メモリボタン２１〜２６には、それぞれ１局ずつ放送局をプリセットすることができるので、ＡＭ放送に関して、最大で６局プリセットすることができる。ＦＭ放送に関しては、プリセット用にＦＭ１およびＦＭ２の２つのモードが用意されているので、それぞれ６局ずつ、最大で１２局の放送局をプリセットすることができる。
【００１４】
一実施の形態におけるオーディオ制御装置では、メモリボタン２１〜２６に一度プリセットした放送局を消去することができる。プリセットした放送局を消去する方法について説明する。選局ボタン１５を下方向に操作し続けると、ディスプレイ１７に表示される周波数は低くなっていく。さらに選局ボタン１５を下方向に操作し続けると、ディスプレイ１７に表示される周波数は、０（Ｈｚ）となる。この状態で、メモリボタン２１〜２６のうち、プリセットされている放送局を消去したいメモリボタンを所定時間以上押すと、プリセットされている放送局を消去することができる。なお、所定時間は、放送局をプリセットするために、メモリボタンを押し続けるのに必要な時間と同じ時間とする。
【００１５】
なお、０（Ｈｚ）の周波数がディスプレイ１７に表示された状態から、選局ボタン１５をさらに下方向に操作すると、一番高い周波数が表示される。すなわち、ディスプレイ１７に、ある周波数が表示されている状態で、選局ボタン１５を上方向に操作し続けた場合にも、一番高い周波数の次に、「０」の周波数が表示される。この場合にも、０（Ｈｚ）が選択されている状態で、プリセットされている放送局を消去したいメモリボタンを所定時間以上押すと、プリセットされている放送局を消去することができる。なお、プリセットされている放送局が消去されたメモリボタンには、放送局がプリセットされておらず、ブランクの状態となっている。
【００１６】
次に、ステアリングホイールスイッチに含まれる選局ボタン４を操作したときの動作について説明する。図４は、メモリボタン２１〜２６にプリセットされている放送局の周波数の一例を示す図である。図４に示す１〜６のプリセット番号は、メモリボタン２１〜２６にそれぞれ対応している。例えば、ＦＭ１では、メモリボタン２１に、100.2ＭＨｚの放送局、メモリボタン２２に、98.3ＭＨｚの放送局、メモリボタン２３に、88.7ＭＨｚの放送局、メモリ２５に、80.7ＭＨｚの放送局がプリセットされている。メモリボタン２４および２６には、放送局がプリセットされていない。
【００１７】
ＦＭ２では、メモリボタン２１，２２，２３にそれぞれ、放送局がプリセットされているが、他のメモリボタン２４，２５，２６には、放送局はプリセットされていない。また、ＡＭ放送に関しては、メモリボタン２２，２４に放送局がプリセットされているが、メモリボタン２１，２３，２５，２６には、放送局はプリセットされていない。
【００１８】
ユーザは、選局ボタン４を操作することによって、メモリボタン２１〜２６を順に選択して、プリセットされている放送局の放送を受信することができる。選局ボタン４の操作に基づいて、メモリボタン２１〜２６を順に選択する処理は、コントローラ１０によって行われる。ここでは、ＦＭ１の100.2ＭＨｚ（メモリボタン２１）の放送を受信している状態を基準として説明する。この状態から、選局ボタン４を１回押すと、メモリボタン２２にプリセットされている98.3ＭＨｚの放送局が選局され、さらに選局ボタン４を１回押すと、メモリボタン２３にプリセットされている88.7ＭＨｚの放送局が選局される。
【００１９】
メモリボタン２３にプリセットされている88.7ＭＨｚの放送局が選局されている状態で、選局ボタン４を操作すると、放送局が何も登録されていないメモリボタン２４はスキップされて、メモリボタン２５にプリセットされている80.7ＭＨｚの放送局が選局される。すなわち、一実施の形態におけるオーディオ制御装置では、選局ボタン４が操作された際に、放送局がプリセットされていないメモリボタンはスキップして、放送局がプリセットされているメモリボタンのみを選択する。
【００２０】
ステアリングホイールスイッチの操作に基づいて、車載オーディオ装置を制御する従来の制御装置では、ステアリングホイールに設けられた選局ボタンを操作し続けると、放送局がプリセットされていないメモリボタンも選択されてしまっていたが、一実施の形態におけるオーディオ制御装置では、放送局がプリセットされているメモリボタンのみが選択されるので、ユーザにとって、非常に利便性が高い。
【００２１】
メモリボタン２５にプリセットされている80.7ＭＨｚの放送局が選局されている状態で、選局ボタン４を操作すると、放送局が何も登録されていないメモリボタン２６はスキップして、ＦＭ２のメモリボタン２１にプリセットされている87.9ＭＨｚの放送局が選局される。従来のステアリングホイールスイッチの制御装置では、モードボタンを操作しなければ、ＦＭ１からＦＭ２に移行することはできなかったが、一実施の形態におけるオーディオ制御装置では、選局ボタン４の操作のみによって、ＦＭ１からＦＭ２に移行することができる。
【００２２】
ＦＭ２においても同様に、選局ボタン４の操作時に、放送局がプリセットされているメモリボタンのみが選択される。すなわち、選局ボタン４の操作を行うたびに、メモリボタン２１→２２→２３の順に、それぞれプリセットされている放送局が選局される。メモリボタン２３にプリセットされている82.3ＭＨｚの放送局が選局されている状態で、選局ボタン４が操作されると、放送局が何も登録されていないメモリボタン２４〜２６はスキップされて、ＡＭ放送のメモリボタンが選択される。この場合、ＡＭ放送のメモリボタン２１には、放送局がプリセットされていないので、メモリボタン２２にプリセットされている680ｋＨｚの放送局が選局される。
【００２３】
また、ＡＭ放送のメモリボタン２４にプリセットされている970ｋＨｚの放送を受信している状態で、選局ボタン４が操作されると、ＡＭ放送のメモリボタン２５および２６はスキップされて、ＦＭ１のメモリボタン２１にプリセットされている放送局が選局される。
【００２４】
図５は、メモリボタン２１〜２６にプリセットされている放送局の周波数の他の一例を示す図である。図５に示す例では、ＦＭ２において、メモリボタン２１〜２６に、放送局はプリセットされていない。この場合、ＦＭ１のメモリボタン２５にプリセットされている80.7ＭＨｚの放送を受信している状態で、選局ボタン４が１回押されると、ＡＭ放送のメモリボタン２１にプリセットされている放送局が選局される。
【００２５】
上述した一実施の形態におけるオーディオ制御装置は、ステアリングホイールに設置されている選局ボタン４の操作に基づいて、車載オーディオ装置１００のメモリボタン２１〜２６を順次選択して、メモリボタン２１〜２６にプリセットされている放送局の放送を受信するものであって、選局ボタン４が操作された時に、放送局がプリセットされていないメモリボタンはスキップして、放送局がプリセットされているメモリボタンのみを選択する。これにより、選局ボタン４の操作時に、放送局がプリセットされていない不要なメモリボタンが選択されるのを防ぐことができるので、メモリボタンにプリセットされている所望の放送局の放送を迅速に受信することができる。
【００２６】
また、車載オーディオ装置１００のメモリボタン２１〜２６にプリセットした放送局を消去することができるので、一度プリセットしたけど、その後利用しなくなったような放送局を消去することにより、選局ボタン４の操作時に、不必要な放送局の放送が受信されてしまうのを防ぐことができる。すなわち、メモリボタン２１〜２６に、利用しなくなった放送局がプリセットされている状態では、選局ボタン４の操作を継続して行うと、放送局がプリセットされているメモリボタンが順に選択されてしまうが、利用しなくなった放送局を消去しておくことにより、選局ボタン４の操作時に、放送局を消去したメモリボタンを飛ばすことができる。
【００２７】
また、一実施の形態におけるオーディオ制御装置では、メモリボタン２１〜２６にプリセットされている放送局を消去する手順を、メモリボタンに放送局をプリセットする手順と同じとした。すなわち、放送局をプリセットする場合には、所望の放送局の放送周波数を選択した状態で、メモリボタンを所定時間以上押すことにより、放送局をプリセットすることができる。プリセットされている放送局を消去する際にも、消去用の周波数０（Ｈｚ）を選択した状態で、プリセットされている放送局を所定時間押すようにした。これにより、メモリボタンに放送局をプリセットする操作に慣れているユーザは、プリセットされている放送局を容易に消去することができる。
【００２８】
さらに、一実施の形態におけるオーディオ制御装置では、選局ボタン４によって、同一の放送バンドのメモリボタン２１〜２６だけでなく、異なる放送バンドのメモリボタン２１〜２６も選択することができるようにした。従来のオーディオ制御装置では、例えば、モードボタンを押して、ＡＭ放送およびＦＭ放送を切り換えてから、選局ボタンを操作しなければならなかった。しかし、一実施の形態におけるオーディオ制御装置では、選局ボタン４を操作するだけで、メモリボタン２１〜２６にプリセットされているＡＭ放送の放送局およびＦＭ放送の放送局を選択することができる。これは、メモリボタン２１〜２６にプリセットされている放送局数が少ない場合に、特に、ユーザにとって利便性が高いと考えられる。
【００２９】
一実施の形態におけるオーディオ制御装置では、ステアリングホイールに設けられているモードボタン１によって、ＡＭ放送やＦＭ放送などの無線放送を受信するモードと、ＣＤを再生するモードとを切り換えるようにした。従来の車載オーディオ制御装置では、モードボタンを操作すると、ＡＭ放送受信モード、ＦＭ放送受信モード、ＣＤ再生モードと切り替わった。例えば、ＡＭ放送を受信している際に、ＣＤ再生モードに移行するためには、モードボタンを操作して、ＡＭ放送受信モード→ＦＭ放送受信モード→ＣＤ再生モードというように、少なくとも２回、モードボタンを操作する必要があった。しかし、一実施の形態におけるオーディオ制御装置では、モードボタン１を１回操作するだけで、ＡＭ放送やＦＭ放送などの無線放送受信モードと、ＣＤ再生モードとを切り換えることができる。
【００３０】
本発明は、上述した一実施の形態に限定されることはない。例えば、オーディオ装置は、車載オーディオ装置に限られず、家庭で使用するオーディオ装置や、携帯できるオーディオ装置であってもよい。また、上述した一実施の形態におけるオーディオ制御装置では、ステアリングホイールに設けられた選局ボタン４の操作に基づいて、車載オーディオ装置のメモリボタンを順次切り換えて選択するシステムについて説明したが、メモリボタンを順次切り換えるためのスイッチは、ステアリングホイール上に設けられているものに限られない。例えば、オーディオ装置の各種制御を行うことができるリモコン操作装置に設けられている「→」や「←」のような方向スイッチ、ジョグダイヤルや、各種スクロール用入力装置など、オーディオ装置のメモリボタンを順次切り換えて選択するものなら何でもよい。また、リモコン装置やステアリングスイッチなど、オーディオ装置本体から離れた所にある入力部に限らず、オーディオ装置本体に、メモリボタンを順次切り換えて選択するためのスイッチを設けるようにしてもよい。この場合、ユーザは、メモリボタンを直接操作してもよいし、メモリボタンを順次切り換えて選択するためのスイッチを操作することによって、放送局がプリセットされているメモリボタンのみを順次選択することもできる。すなわち、放送局をプリセットすることができるプリセット用スイッチを、選択項目を“順送り”に、または、“順送り・逆送り”に１つずつ選択することができるスイッチの操作に基づいて、順次切り換えて選択するものは、本発明の技術的思想の範囲内であり、スイッチの設置場所によって本発明が限定されることはない。
【００３１】
ＦＭ放送の放送局をプリセットするために、ＦＭ１とＦＭ２の２つのプリセットモードが用意されている例について説明したが、１つだけでもよいし、ＡＭ放送に関して、ＡＭ１とＡＭ２というように、２つのプリセットモードを用意してもよい。また、ＦＭ放送およびＡＭ放送において、放送局をプリセットするために、３つ以上のモードを用意しておいてもよい。
【００３２】
上述した一実施の形態では、無線放送として、ＡＭ放送とＦＭ放送とを受信する例について説明した。しかし、本発明は、例えば、衛星ラジオ放送を受信できるオーディオ装置に適用することもできるし、その他の無線放送を受信できるオーディオ装置に適用することもできる。
【００３３】
メモリボタン２１〜２６にプリセットされている放送局を消去するために、車載オーディオ装置１００の選局ボタン１５を操作することによって、０（Ｈｚ）の周波数を選択するようにしたが、０（Ｈｚ）の代わりに、例えば、「----」のような文字をディスプレイ１７に表示させて、選択するようにしてもよい。この場合にも、ディスプレイ１７に「----」と表示されている状態で、プリセットされている放送局を消去したいメモリボタンを所定時間以上押すことにより、プリセットされている放送局を消去することができる。また、「----」の表示以外にも、プリセットされている放送局を消去するための表示を採用することもできる。
【００３４】
上述した一実施の形態では、車載オーディオ装置１００に設置されているメモリボタンは６つとして説明したが、５つ以下でもよいし、７つ以上でもよい。また、プリセットできる放送局は、放送バンドごとに、区別するようにしたが、異なる放送バンドの放送局を混合した形でプリセットできるようにしてもよい。図６は、異なる放送バンドの放送局を混合した形でプリセットできるシステムにおいて、メモリボタン２１〜２６にプリセットされている放送局の周波数の一例を示す図である。図６に示す例では、「Ａ」，「Ｂ」、「Ｃ」の３つのチャンネルが用意されており、それぞれのチャンネルにおいて、ＦＭ放送の放送局とＡＭ放送の放送局とが混合した形でプリセットされている。このシステムでは、例えば、ユーザは、放送バンドに関係なく、よく利用する放送局をチャンネルＡから順にプリセットしておくことができ、選局ボタン４の操作によって、よく利用する放送局を順に選択することができる。
【００３５】
上述した一実施の形態では、選局ボタン４を操作すると、メモリボタン２１→２２→２３のように、左側に配置されているメモリボタン（図３参照）から右方向に順に選択したが、２６→２５→２４のように、右側に配置されているメモリボタンから左方向に順に選択するようにしてもよい。また、選局ボタン４を順方向・逆方向の二方向に操作できるようにして、メモリボタン２１〜２６を順に選択する方向を一方向だけでなく、二方向に選択できるようにすることもできる。
【００３６】
モードボタン１では、ＡＭ放送およびＦＭ放送を含む無線放送を受信するモードと、ＣＤを再生するモードとを切り換えるようにしたが、ＣＤの代わりにＭＤを再生できるオーディオシステムでは無線放送受信モードと、ＭＤ再生モードとを切り換えることができる。また、ＣＤとＭＤの双方を再生できるシステムでは、無線放送受信モードと、ＣＤ再生モードと、ＭＤ再生モードとを切り換えるようにすればよい。さらに、ＣＤやＭＤ以外に、カセットテープや、携帯記憶媒体などに記憶されているデータを再生できるシステムに、本発明を適用することもできる。
【００３７】
また、モードボタン１の操作時に、無線放送受信モードおよびＣＤ再生モードを切り換えるシステムと、ＣＤ再生モード、ＡＭ放送モード、および、ＦＭ放送モードを切り替えるシステムとをユーザが選択できるようにしておくこともできる。この場合、モードボタン１の操作時に、ＣＤ再生モードと、ＡＭ放送モードと、ＦＭ放送モードとを切り替えることができるシステムの方が利便性が高いと考えるユーザは、そのシステムを採用することができる。
【００３８】
ディスプレイ１７に、メモリボタン２１〜２６にプリセットされている放送局を消去するための方法を表示するようにしてもよい。例えば、ユーザが車載オーディオ装置１００の選局ボタン１５を操作することによって、０（Ｈｚ）の周波数が選択された時に、ディスプレイ１７に、０（Ｈｚ）の文字とともに、「メモリボタンを押し続けると、放送局を消去できます」のような文字を表示させることができる。
【００３９】
特許請求の範囲の構成要素と一実施の形態の構成要素との対応関係は次の通りである。すなわち、コントローラ１０が制御手段および消去手段を、選局ボタン４が第１のスイッチを、モードボタン１が第２のスイッチをそれぞれ構成する。なお、以上の説明はあくまで一例であり、発明を解釈する上で、上記の実施形態の構成要素と本発明の構成要素との対応関係に何ら限定されるものではない。
【図面の簡単な説明】
【００４０】
【図１】一実施の形態におけるオーディオ制御装置の構成を示すブロック図
【図２】一実施の形態におけるステアリングホイールスイッチの外観構成図
【図３】車載オーディオ装置の外観構成の一例を示す図
【図４】メモリボタンにプリセットされている放送局の周波数の一例を示す図
【図５】メモリボタンにプリセットされている放送局の周波数の他の一例を示す図
【図６】異なる放送バンドの放送局を混合した形でプリセットできるシステムにおいて、メモリボタンにプリセットされている放送局の周波数の一例を示す図
【符号の説明】
【００４１】
１…モードボタン、２…電源ボタン、３…音量調節ボタン、４…選局ボタン、１０…コントローラ、１１…電源ボタン、１２…ＤＩＳＣボタン、１３…ＦＭボタン、１４…ＡＭボタン、１５…選局ボタン、１６…音量調節ボタン、１７…ディスプレイ、２１〜２６…メモリボタン、５０…ステアリングホイール、１００…車載オーディオ装置
【図１】
2006157096.tif 000003
【図２】
2006157096.tif 000004
【図３】
2006157096.tif 000005
【図４】
2006157096.tif 000006
【図５】
2006157096.tif 000007
【図６】
2006157096.tif 000008